(57)【特許請求の範囲】
【請求項１】
自動販売機２の下部に固定された支持部材５と、この支持部材の後端部に内装された駆動部材１０と、前記支持部材に進退動可能に設けられ、かつ、先端部に係合部２１を有すると共に，前記駆動部材の駆動力により前方に飛び出す転倒防止用接地部材２０と、前記支持部材の先端部に軸支された揺動アーム２５の先端部に回動可能に設けられ、かつ、転倒防止用接地部材の前記係合部と係合する係合爪片２８と、一方、この係合爪片に対して前記揺動アームの後端部に一体的に設けられ、かつ、自動販売機２の常態時には、揺動アームに設けられた規制部２７に回転が阻止された該係合爪片２８を前記係合部２１に係止させることができるように床面Ｆに接地する揺動アーム用ロック部材３５とから成る自動販売機用転倒防止装置。
【請求項２】
請求項１に於いて、揺動アーム用ロック部材３５は、揺動アーム２５の後端部に固定的に突設されたナット３６と、このナット３６に高さ調整可能に螺合する重り３７とから成ることを特徴とする自動販売機用転倒防止装置。
【請求項３】
請求項１に於いて、駆動部材１０は、基端部が支持部材５の後端部に取り付けられた横方向シリンダー１１と、圧力媒体の圧力により伸長するように該横方向シリンダー１１に嵌挿され、かつ、先端部が転倒防止用接地部材２０に固定された作動杆１３とから成ることを特徴とする自動販売機用転倒防止装置。
【請求項４】
請求項１に於いて、揺動アーム２５は、支持部材５はケース状に形成され、該支持部材５の先端部の一側壁から横方向に突出する中央軸２６に軸支され、かつ、先端部に転倒防止用接地部材２０の係合ピン２１を係止する係合爪片２８を有すると共に、後端部に常時床面Ｆに接地するロック部材３５を備えていることを特徴とする自動販売機用転倒防止装置。
【請求項５】
請求項４に於いて、係合爪片２８は揺動アーム２５の先端部に前方枢軸２９を介して所定の角度内に於いて回動可能に軸支されていることを特徴とする自動販売機用転倒防止装置。
【請求項６】
自動販売機２の下部に固定された支持部材５Ａと、この支持部材の後端部に内装された駆動部材１０と、前記支持部材に進退動可能に設けられ、かつ、先端部に係合部２１Ａを有すると共に、前記駆動部材の駆動力により前方に飛び出す転倒防止用接地部材２０Ａと、前記支持部材の先端部に軸支された揺動アーム２５Ａの先端部に折曲形成され、かつ、転倒防止用接地部材２０Ａの前記係合部２１Ａと係合する係合爪片２８Ａと、一方、この係合爪片に対して前記揺動アームの後端部に設けられ、かつ、自動販売機２の常態時には、係合爪片２８Ａを前記係合部２１Ａに係止させることができるように床面Ｆに接地する揺動アーム用ロック部材３５Ａとから成る自動販売機用転倒防止装置。
【請求項７】
請求項６に於いて、揺動アーム用ロック部材３５Ａは、揺動アーム２５Ａの後端部に後方枢軸４０を介して軸支された端面Ｌ字型のナット板３６Ａと、このナット板３６Ａに縦方向に螺合するボルト状の重り３７Ａとから成ることを特徴とする自動販売機用転倒防止装置。
【請求項８】
請求項７に於いて、揺動アーム２５Ａとロック部材３５Ａとを復帰バネ３０Ａで連結していることを特徴とする自動販売機用転倒防止装置。
【発明の詳細な説明】
【０００１】
【発明の属する技術分野】
本発明は自動販売機用転倒防止装置に関する。
【０００２】
【従来の技術】
大地震が発生すると、小売店、大型スーパーなどの室内外を問わず、床面に設置された自動販売機が倒れることがある。周知のように自動販売機が倒れる場合は、地震に対して傾倒あるいは転倒防止手段が十分になされていないからである。
【０００３】
ところで、自動販売機が倒れる場合は、その設置条件、構造上などの理由から慨して開閉扉がある前方側に倒れる。自動販売機が地震により前方側に倒れると、少くとも見本品を展示収納する透明部が破損し、使用に耐えない結果となる。そこで、現在、大地震が発生しても自動販売機が前方側に容易に倒れない自動販売機用転倒防止装置の出現が要望されている。
【０００４】
【発明が解決しようとする課題】
本発明は以上のような従来の要望に鑑み、第１は大地震が発生しても自動販売機が前方側に容易に倒れない自動販売機用転倒防止装置を提供することである。第２は転倒防止装置を自動販売機の下部に簡単に取り付けることができることである。第３に転倒防止装置を押し込み式のワンタッチ操作で作動可能な状態にセットすることができることである。第４は自動販売機が前方に多少傾倒すると、直ちに転倒防止用接地部材が自動販売機の前方に飛び出すことができることである。第５は反復・継続して使用することができることである。
【０００５】
【課題を解決するための手段】
本発明の自動販売機用転倒防止装置は、自動販売機２の下部に固定された支持部材５と、この支持部材の後端部に内装された駆動部材１０と、前記支持部材に進退動可能に設けられ、かつ、先端部に係合部２１を有すると共に、前記駆動部材の駆動力により前方に飛び出す転倒防止用接地部材２０と、前記支持部材の先端部に軸支された揺動アーム２５の先端部に回動可能に設けられ、かつ、転倒防止用接地部材の前記係合部と係合する係合爪片２８と、一方、この係合爪片に対して前記揺動アームの後端部に一体的に設けられ、かつ、自動販売機２の常態時には、揺動アームに設けられた規制部２７に回転が阻止された該係合爪片２８を前記係合部２１に係止させることができるように床面Ｆに接地する揺動アーム用ロック部材３５とから成る。
【０００６】
上記構成に於いて、揺動アーム用ロック部材３５は、揺動アーム２５の後端部に固定的に突設されたナット３６と、このナット３６に高さ調整可能に螺合する重り３７とから成ることを特徴とする。
【０００７】
また本発明の自動販売機用転倒防止装置は、自動販売機２の下部に固定された支持部材５Ａと、この支持部材の後端部に内装された駆動部材１０と、前記支持部材に進退動可能に設けられ、かつ、先端部に係合部２１Ａを有すると共に、前記駆動部材の駆動力により前方に飛び出す転倒防止用接地部材２０Ａと、前記支持部材の先端部に軸支された揺動アーム２５Ａの先端部に折曲形成され、かつ、転倒防止用接地部材２０Ａの前記係合部２１Ａと係合する係合爪片２８Ａと、一方、この係合爪片に対して前記揺動アームの後端部に設けられ、かつ、自動販売機２の常態時には、係合爪片２８Ａを前記係合部２１Ａに係止させることができるように床面Ｆに接地する揺動アーム用ロック部材３５Ａとから成る。
【０００８】
上記構成に於いて、係合爪片２８Ａは揺動アーム２５Ａの先端部に折曲形成
されていることを特徴とする。
【０００９】
【発明の実施の形態】
以下、図１乃至図６に示す第１実施例に基づき、本発明の実施の形態を説明する。図１は転倒防止装置１を自動販売機２の底壁３の前端部に取り付けた状態を示す概略説明図である。図２は転倒防止装置１を平面側から見た状態の説明図である。図３は転倒防止装置１を正面側から見た状態の説明図である。転倒防止装置１は、自動販売機の下部に１個又は２個適宜に固定されるものであるが、望ましくは自動販売機２の底壁３の前端部の左右に一対設けるべきである。本実施例では説明の便宜上、転倒防止装置１を自動販売機２の底壁３の前端部の右側端部寄りの部位に取り付けた場合を図示している。したがって、符号４は自動販売機１の右側前端部に普通一般に取り付けられたガタ防止用調整手段である。
【００１０】
そこで、転倒防止装置１を構成する各部材について説明する。まず５は自動販売機１の下部に固定されたケース状或いは筒状の支持部材である。このケース状支持部材５は、複数個の固着具６を介して自動販売機２の底壁３の前端部に水平状態に、かつ、その前側の開口部７を前向きにして固定される。ケース状支持部材５は角型長箱状に形成されているが、少くとも前側には開口部７が必要である。またケース状支持部材５の端面矩形状の案内筒部８の底壁には、前後方向に逃がし用切欠部９が形成されている。この逃がし用切欠部９は後述する固定ネジ１５の頭部が下方に突出しない場合には必要ではない。
【００１１】
次に１０は支持部材５の後端部に内装された駆動部材である。この駆動部材１０は適当な付勢バネでも良いが、本実施例では圧力媒体の一例としてのガスを利用した、いわゆるガスダンパーが採用されている。
【００１２】
しかして、１１はガス、エアー等の圧力媒体を充填した横方向シリンダーで、この横方向シリンダー１１の基端部は、支持部材５の後端部内に固定的に設けられた後方支片１２に適宜に軸支されている。１３は横方向シリンダー１１に嵌挿された作動杆で、この作動杆１３は圧力媒体の圧力（バネ部材の場合はバネ力）により伸長する。この作動杆１３の先端部は、図１及び図３で示すように後述する転倒防止用接地部材２０に間接的に固定されている。
【００１３】
すなわち、１４は転倒防止用接地部材２０内の先端部寄りの部位に固定的に設けられたＵ字型前方支片である。この前方支片１４はネジ頭が支持部材５の逃がし用切欠部９内に位置する固定ネジ１５を介して転倒防止用接地部材２０内に固定されている。そして、作動杆１３の先端部は、このＵ字型前方支片１４に軸架された横軸１６に適宜に軸支されている。
【００１４】
次に２０は支持部材５に進退動可能に設けられ、かつ、先端部に係合部（係合ピン、係合溝等）２１を有すると共に、駆動部材１０の駆動力により自動販売機２の前方に飛び出す転倒防止用接地部材である。この転倒防止用接地部材２０は、本実施例では支持部材５と同様に角型ケース状に形成され、該支持部材５に先端部が突出するように摺動可能に嵌め込まれている。したがって、転倒防止用接地部材２０はケース状支持部材５に支持されながら前方方向へとスライドする。
【００１５】
転倒防止用接地部材２０も支持部材５と同様に角型長箱状に形成されているが、望ましくは転倒防止用接地部材２０の方を支持部材５よりも長く設定すべきである。本実施例では転倒防止用接地部材２０は支持部材５よりも多少長く形成されている。そして、図１で示すように転倒防止用接地部材２０を支持部材５に押し込んでセットした状態に於いて、転倒防止用接地部材２０の先端部が自動販売機２の前面２２から略突出しないように設けられている。係合部２１は設計如何によっては係合溝でも良いが、本実施例では図２及び図３で示すように転倒防止用接地部材２０の先端部の一側壁から横方向に一体的に突出する一本の係合ピンが採用されている。
【００１６】
次に２５は支持部材５の先端部の一側壁から横方向に一体的に突出する中央軸２６に軸支された揺動アームである。ここで「中央軸２６」には、揺動アーム２５の先端部寄りの部位に軸支された軸も含まれる。この揺動アーム２５は、図１又は図３で示すように支持部材５及び転倒防止用接地部材２０の各右側壁に沿って水平状態に軸支されていると共に、先端部側２５ａは前記転倒防止用接地部材２０から突出している。そして、揺動アーム２５の先端部は、直角（横）方向に折曲形成された係合爪片用規制部２７を有している。
【００１７】
次に２８は揺動アーム２５の先端部に前方枢軸２９を介して軸支され、かつ、転倒防止用接地部２０材の係合ピン２１と係合する係合爪片である。この係合爪片２８は、所定の角度内に於いて回動可能なカム形状であり、例えば図４を基準にした場合には、矢印で示す反時計方向にのみ回転することができるように、係合爪片用規制部２７の内壁面と当接する外周壁面２８ａがやや弧状に形成されている。３０は係合爪用の復帰バネで、この復帰バネ３０の中央部は前方枢軸２９に巻装されている。そして、その一端部は係合爪片２８の下端部の突起ピン３１に、一方、他端部は揺動アーム２５の先端部側２５ａの突起ピン３２にそれぞれ当接している。
【００１８】
次に３５は揺動アーム２５の後端部側２５ｂに設けられた揺動アーム用ロック部材である。この揺動アーム用ロック部材３５は、揺動アーム２５の前端部に位置する係合爪片２８に対し、揺動アーム２５の後端部に一体的に設けられ、かつ、自動販売機２の常態時には、揺動アーム２５の規制部２７に一方向（時計方向）への回転が阻止された係合爪片２８を係合部２１に係止させることができるように地面或いは床面Ｆに接地する。
【００１９】
しかして、揺動アーム用ロック部材３５は、板状揺動アーム２５の後端部の一側壁に固定的に突設されたナット３６と、このナット３６に高さ調整可能に螺合するボルト形状の重り３７とからなる。なお、ボルト形状の重り３７は、その頭部が床面Ｆに接地するようにナット３６に螺合している。
【００２０】
上記構成に於いて、自動販売機２の常態時には、転倒防止装置１の転倒防止用接地部材２０は、駆動部材１０の圧力媒体の圧力或いはバネ部材のバネ力に抗し、図１乃至図３で示すように、その先端部が自動販売機２の前面２２から略突出しないように支持部材５内に押し込まれている。ところで、例えば図４で示すように転倒防止用設置部材２０を矢印Ａで示すように支持部材５内に押し込むと、その際に転倒防止用設置部材２０の係合部２１が係合爪片２８の外周壁面２８ａの下部に当接し、その結果、係合爪片２８は復帰バネ３０のバネ力に抗して反時計方向に回転する。係合爪片２８は転倒防止用設置部材２０の支持部材５に対する後退動により係合部２１を乗り越え、該係合部２１よりも前方に位置する。その時係合爪片２８は復帰バネ３０のバネ力により元の位置に回転復帰し、該係合部２１と係合する。そして、係合爪片２８が係合部２１を係止すると、その外周壁面２８ａが揺動アーム２５の規制部２７に当接し、時計方向には回転しない。この時揺動アーム用ロック部材３５の重り３７は床面或いは地面Ｆに接地するので、転倒防止用設置部材２０は揺動アーム２５の係合爪片２８にその係合部２１を介してロックされる。
【００２１】
このように自動販売機２の常態時には、支持部材５及び転倒防止用接地部材２０は自動販売機２と共に水平状態になっているため、揺動アーム２５の係合爪片２８に係止された転倒防止用接地部材２０は、自動販売機２の前方には飛び出さない。
【００２２】
ところが、今仮に地震が発生し、自動販売機１が、例えば図５で示すように前方或いは後方（図５では後方に傾倒した状態。）に多少傾倒すると、支持部材５及び転倒防止用接地部材２０は、ロック部材３５を介して常に水平状態を保持している揺動アーム２５に対し、中央軸２６を支点に多少回転した格好となり、転倒防止用接地部材２０の係合部２１は揺動アーム２５の係合爪片２８から外れる。そうすると、図６で示すように転倒防止用接地部材２０は、駆動部材１０の作動杆１３の伸長により、支持部材５の案内筒部８に摺動案内されながら自動販売機１の前方へと飛び出す。転倒防止用接地部材２０は自動販売機１の前方に飛び出すと、その後床面或いは地面Ｆに突き当たった所で停止し、支持部材５と相俟って自動販売機１が前方に倒れるのを防止する。
【００２３】
【実施例】
本発明の第１実施例に於いて、ケース状支持部材５及び転倒防止用接地部材２０は角型長箱状に形成されているが、支持部材５が転倒防止用接地部材２０をガイドする機能を有するのであれば、また転倒防止用接地部材２０が支持部材５に対して進退動する機能を有するのであれば、それぞれ円筒状、アーム状、枠状など形態に形成し、適宜に組み合わせることができる。また駆動部材１０としてはガスダンパーの他にケース状支持部材５の後端部の内壁面と転倒防止用接地部材２０の後端部の外壁面の間に介在するコイルスプリングであっても良い。さらに、転倒防止用接地部材２０の係合部２１と揺動アーム２５の係合爪片２８との係合関係であるが、係合爪片２８の下端部に突起ピンを設け、一方、転倒防止用接地部材２０の先端部の下端縁部に前記突起ピンと係合する係合部（切欠溝）を形成しても良い。
【００２４】
次に本発明の第２実施例につき説明する。なお、この第２実施例の説明に当たって、第１実施例と同一の構成部分には同一又は同様の符号を付し、重複する説明を省略する。
【００２５】
図７及び図１０に示す第２実施例に示す転倒防止装置１Ａに於いて、第１実施例と主に異なる点は、揺動アーム２５Ａの係合爪片２８Ａが、揺動アーム２５Ａの先端部に折曲形成されている点、また重り機能を有する揺動アーム用ロック部材３５Ａが、揺動アーム２５Ａの後端部に後方枢軸４０を介して軸支された端面Ｌ字型のナット板３６Ａと、このナット板３６Ａに縦方向に螺合する蝶ボルト状の重り３７Ａとから成る点、さらに、揺動アーム２５Ａの中央部の下端縁部とロック部材３５Ａの前記ナット板３６Ａの垂直部の中央部寄りの部位にそれぞれ突起状バネ取付け部４１、４２形成し、揺動アーム２５Ａとロック部材３５Ａとを復帰バネ３０Ａで連結した点、加えて、ロック部材３５Ａの蝶ボルト状重り３７Ａが垂直の位置で停止するように揺動アーム２５Ａの後端部にストッパー４３を設けた点である。なお、図８は転倒防止装置１Ａの主たる部材の分解斜視図であり、その中の符号２６ａは中央軸２６Ａを構成する横軸、２６ｂは横軸２６ａに螺合する止めナット、４０ａは後方枢軸４０を構成する突起軸、４０ｂは突起軸４０ａの周溝に嵌合する止めリングである。
【００２６】
このように構成しても、地震の発生の際に、例えば自動販売機１が図１０で示すように後方に多少傾倒すると、支持部材５Ａ及び転倒防止用接地部材２０Ａは、ロック部材３５Ａを介して常に水平状態を保持している揺動アーム２５Ａに対し、中央軸２６Ａを支点に多少回転した格好となり、転倒防止用接地部材２０Ａのピン状係合部２１Ａは揺動アーム２５Ａの係合爪片２８Ａから外れる。また転倒防止用接地部材２０Ａをケース状支持部材５Ａに押し込むと、揺動アーム２５Ａは転倒防止用接地部材２０Ａのピン状係合部２１Ａと係合爪片２８Ａとの摺接により先端部が一旦復帰バネ３０Ａのバネ力に抗して浮き上がるように回転するので、いわゆるワンタッチ式に転倒防止用接地部材２０Ａは揺動アーム２５Ａの係合爪片２８Ａに係止されると同時に、ロック部材３５Ａの蝶ボルト状重り３７Ａも垂直状態に床面Ｆに対して接地する。したがって、前記第１実施例と同一の課題を達成することができる。
【００２７】
なお、この第２実施例の復帰バネ３０Ａは、必ずしも揺動アーム２５Ａをピン状係合部２１Ａに係止させるために設ける必要はない。したがって、設計如何によっては復帰バネ３０Ａに、例えば自動販売機１が図１０で示すように前方に多少傾倒すると、ロック部材３５Ａの蝶ボルト状重り３７Ａが床面Ｆから直ちに離れるように付勢するための機能を付与しても良い。
【００２８】
【発明の効果】
以上の説明から明らかなように、本発明にあっては次に列挙するような効果がある。
（１）大地震が発生しても自動販売機が前方側に容易に倒れない自動販売機用転倒防止装置を提供するができる。
（２）転倒防止装置を自動販売機の下部に簡単に取り付けることができる。
（３）転倒防止装置の転倒防止用接地部材をケース状の支持部材内に押し込むだけで、駆動部材の作動杆が作動可能な状態に成ると共に、転倒防止用接地部材は係合部を介し、揺動アームの係合爪片に直ちに係止される。
（４）自動販売機が前方に多少傾倒すると、直ちに転倒防止用接地部材が自動販売機の前方に飛び出す。
（５）反復・継続して使用することができる。
（６）構成する部材点数を極力少なくし、安価に製作することができる。
（７）請求項２記載の発明は、重り３７の高さ調整することができるので、床面Ｆに多少の凹凸があっても、揺動アームの係合爪片を所望するように転倒防止用接地部材の係合部に係止させることができる。
【図面の簡単な説明】
図１乃至図６は本発明の第１実施を示す各説明図。図７乃至図１０は本発明の第２実施例を示す各説明図。
【図１】転倒防止装置を自動販売機の底壁の前端部に取り付けた状態を示す概略説明図（セットした状態）。
【図２】図１に於いて、転倒防止装置を平面側から見た状態の説明図。
【図３】図１に於いて、転倒防止装置を正面側から見た状態の説明図。
【図４】転倒防止装置をセットする場合の説明図。
【図５】自動販売機が傾いた場合に於ける転倒防止装置の初期状態の説明図。
【図６】転倒防止装置が作動した場合の説明図。
【図７】第２実施例の転倒防止装置の斜視図。
【図８】転倒防止装置の分解斜視図。
【図９】図１と同様の説明図。
【図１０】図６と同様の図。
【符号の説明】
１、１Ａ…転倒防止装置、２…自動販売機、３…底壁、５、５Ａ…支持部材、１０…駆動部材、１１…横シリンダー、１２…作動杆、２０、２０Ａ…転倒防止用接地部材、２１、２１Ａ…係合部、２５、２５Ａ…揺動アーム、２６、２６Ａ…中央軸、２９…前方枢軸、３０、３０Ａ…復帰バネ、３５、３５Ａ…揺動アーム用ロック部材、３６…ナット、３６Ａ…ナット板、３７、３７Ａ…重り、４０…後方枢軸。
【図１】
0003899154.tif 000002
【図２】
0003899154.tif 000003
【図３】
0003899154.tif 000004
【図４】
0003899154.tif 000005
【図５】
0003899154.tif 000006
【図６】
0003899154.tif 000007
【図７】
0003899154.tif 000008
【図８】
0003899154.tif 000009
【図９】
0003899154.tif 000010
【図１０】
0003899154.tif 000011